(57)【要約】【課題】  男性人口の３割を占める男性型脱毛症は、経過が長いため、自ら観察できる簡易な毛髪計測方法が望まれるが、従来の毛髪計測にはおおがかりな器具や環境を要していた。また、毛髪の太さ、密度は個人差が大きく、目安となる簡易な毛髪計測器具はなかった。本発明は、毛髪の太さや密度を自ら計測できる簡易な毛髪計測器具を提供する。【解決手段】  中央に毛髪計測窓が設けられ、その計測窓の四方には、０．０１ｍｍ〜０．１ｍｍまで０．０１ｍｍずつ太くなる、長さ約３ｍｍの１０本の毛髪径計測線が縦、横、右斜め４５度、左斜め４５度に表示されているスケールを焦点調節用筒先端に設け、その後端にはマクロレンズを設置した計測レンズ部と、カメラ付き携帯通信機器のカメラに、計測レンズ部を固定する固定具を有することを特徴とする毛髪計測器具。【選択図】図６
2018033897.tif 000002
【特許請求の範囲】
【請求項１】
中央に毛髪計測窓（２）が設けられ、その計測窓（２）の四方にはそれぞれ、複数本の太さの異なる毛髪径計測線（１）が表示されたスケールを先端に設けた、焦点調節用筒（３）の後端にマクロレンズ（４）を取り付けた計測レンズ部を、固定具へ固定したことを特徴とする毛髪計測器具。
【請求項２】
毛髪径計測線（１）は太さ０．０１ｍｍ〜０．１ｍｍまで、０．０１ｍｍずつ太く表示したことを特徴とする請求項１記載の毛髪計測器具。
【請求項３】
スケールは不透過プラスチック製、焦点調節用筒（３）は透過、または半透過のプラスチック製であることを特徴とする請求項１または２記載の毛髪計測器具。
【発明の詳細な説明】
【技術分野】
【０００１】  本発明は、自分の毛髪の太さ、及び、密度を自ら簡易に計測できる計測器具である。
【背景技術】
【０００２】  従来、毛髪の計測を行うための道具として特殊な装置（特許文献２参照）やおおがかりなもの（特許文献１参照）がある。また観察器具として、携帯電話のカメラに簡易にマクロレンズを固定できるマクロレンズ固定具（特許文献３参照）（特許文献４参照）（特許文献６参照）や、焦点をあわせやすいアタッチメントが開発されている（特許文献５参照）。
【先行技術文献】
【特許文献】
【０００３】
【特許文献１】特開２００７−２６００３８
【特許文献２】特開２０１１−０２４８３６
【特許文献３】実用新案登録第３１０７０２５号
【特許文献４】特開２０１２−８２８３
【特許文献５】実用新案登録第３１８５２１１号
【特許文献６】特開２０１５−０５５８１７
【発明の概要】
【発明が解決しようとする課題】
【０００４】  男性型脱毛症（ＡＧＡ）は、遺伝的素因に基づいて思春期以降に頭頂、前頭に一定のパターンをもって出現する進行性の脱毛症であり、人口の約３割を占め、若年性薄毛では最もポピュラーな病態である。ＡＧＡはその毛周期に異常を来たし軟毛となる現象であり、頭髪の密度に大きな影響を与える毛髪の太さが変化するため、自らの毛髪の太さや密度を経時的に観察することがＡＧＡの進行を評価することにつながる。ＡＧＡは、進行に長い時間がかかるため、予防や治療効果を自ら観察できる簡易な測定方法が望まれる。従来の毛髪測定にはおおがかりな器具や環境を要していた。また、観察しても毛髪の太さ、密度は個人差が大きいため目安となる簡易な計測器具はなかった。本発明は、毛髪の太さや密度を自ら計測するのに役立つ簡易な計測器具である。
【課題を解決するための手段】
【０００５】  スケール、マクロレンズと焦点調節用筒から成る計測レンズ部、計測レンズ部をカメラ付き携帯通信機器のカメラに固定する固定具から成る毛髪計測器具。ここで示したカメラ付き携帯通信機器は、携帯電話、スマートフォンやタブレット端末のことを指す。スケールは、不透過のプラスチックで作られている、厚さ０．５ｍｍ前後のもので、中央に、四角あるいは丸形の、面積として１ｃｍ２程度の毛髪計測窓が設けられ、その計測窓の四方にはそれぞれ、０．０１ｍｍ〜０．１ｍｍまで０．０１ｍｍずつ太くなる、長さ約３ｍｍの１０本の毛髪径計測線が縦、横、右斜め４５度、左斜め４５度に表示されている。そのスケールを透明あるいは半透明のプラスチックで作られた焦点調節用筒先端に設け、その後端に、マクロレンズを取り付けたものが計測レンズ部である。その計測レンズ部をカメラ付き携帯通信機器のカメラに固定するものが固定具であり、一例として、押圧部を押すと、バネ付勢によって先端が開閉するクリップの先端の片側に設けた枠に、マクロレンズをはめ込み、計測レンズ部と一体となった固定具となるそのクリップで、カメラ付き携帯通信機器の本体をはさむことで、カメラへ計測レンズ部が固定される。計測レンズ部と固定具はネジ部によって、もしくは、はめ込みにより固定され、着脱はできない。焦点調節用筒だけではカメラの焦点調節が不十分な際に使用する焦点微調節用スペーサーは、直径約２．５ｃｍ、中心部にマクロレンズと同等の大きさの穴が開いた円形ドーナツ状、厚さ約１ｍｍの布で作られたもので、カメラとマクロレンズの間に挿入して使用する。以上の構成よりなる毛髪計測器具。
【発明の効果】
【０００６】    医療機関では、毛髪の状態をダーモスコープやマイクロスコープで観察するが、それらは高額であり、特殊な環境を必要とする。また観察した毛髪の評価も難しい。この発明では保有率の高いカメラ付き携帯通信機器に付随するカメラ機能を利用し、約１０倍のマクロレンズを用いてスケールとともに被写体を撮影し、撮影後、スケールと比較することで毛髪の太さ、密度を自ら計測することができる。計測した本数を毛髪計測窓の面積で割ることにより、おおまかな毛髪密度が計算できる。また撮影したものを保存すれば経時的な観察に役立つ。日本人の毛髪の太さは一般的に０．０５〜０．１５ｍｍといわれ、その内訳を太い（０．１ｍｍ以上）、標準（０．０７〜０．０９ｍｍ）、細い（０．０２〜０．０６ｍｍ）、軟毛（０．０１ｍｍ以下）とする。上記目安となるように、太さが０．０１ｍｍ〜０．１ｍｍまで０．０１ｍｍずつ太くなっていく、長さ約３ｍｍの１０本の毛髪径計測線を、毛髪観察窓の周囲四方に毛髪径計測線で表示してある。実際の毛髪の向きは様々なため、比較しやすいように四方の毛髪径計測線の表示はそれぞれ四辺で縦、横、右斜め４５度、左斜め４５度と違う向きに表示してあり、毛髪計測窓中の実際の毛髪と比較することで、おおまかな髪の太さが計測できるようになっている。
また、毛髪の本数は生まれつき個々人により異なるが、平均的な単位面積あたりの数と比べられるよう、スケール中央の毛髪計測窓を通して窓中の毛髪本数を数え、大まかな密度を計算する。一視野の中で、明らかに細くなった毛髪が２０％以上を占めるとＡＧＡが疑われる。
【図面の簡単な説明】
【０００７】
【図１】スケール
【図２】スケール、焦点調節用筒、マクロレンズから成る計測レンズ部の図
【図３】マクロレンズ
【図４】固定具
【図５】本発明の斜視図
【図６】本発明の使用状態を示す斜視図
【発明を実施するための形態】
【０００８】    以下、本発明の実施の形態を説明する。
（イ）図１に図示したスケールは直径約２０ｍｍの円形の、不透過のプラスチックで作られている、厚さ０．５ｍｍ前後のもので、そのスケールの中央には、四角あるいは丸形の、面積として１ｃｍ２程度の毛髪計測窓（２）が開口してあり、その計測窓の周囲四方には、太さ０．０１ｍｍ〜０．１ｍｍまで０．０１ｍｍずつ太く表示し、長さ約３ｍｍの１０本の毛髪径計測線（１）が、四辺でそれぞれ縦、横、右斜め４５度、左斜め４５度の向きに表示してある。このスケールが焦点調節用筒（３）の先端に設けられる。図１には線の配置の一例を示したが、線の配置はこれに限定されるものではなく、スケールに設けられた毛髪計測窓の上下左右に、角度の異なる毛髪径計測線がそれぞれ配置されていればよい。
（ロ）焦点調節用筒（３）は、直径約２ｃｍ、長さ約２ｃｍの透明あるいは半透明のプラスチック製のもので、先端にスケールが位置し、反対側後端にマクロレンズ（４）を取り付ける。毛髪計測窓（２）が光を取り込みやすいように、焦点調節用筒（３）は透明もしくは半透明のプラスチックで作られている。
（ハ）マクロレンズ（４）は直径約２０ｍｍのプラスチックで作られた枠内に約１０倍のマクロレンズが固定されている円形のもので、焦点調節用筒（３）のスケールを固定したのと反対側の端部に、固定する。スケール、焦点調節用筒（３）、マクロレンズ（４）を合わせて、計測レンズ部（５）と呼ぶ。
（ニ）カメラ付き携帯通信機器（８）のカメラに、計測レンズ部（５）を固定する固定具（６）は、金属やプラスチックの弾性を利用し、曲げて製造したクリップや、押圧部を押すと、バネ付勢によって先端が開閉する洗濯ばさみ様のクリップなど形態は種々あるが、いずれの固定具（６）にも、ネジ部によって、もしくは、はめ込みにより、計測レンズ部（５）を固定する。計測レンズ部（５）と固定具（６）は着脱できない。
（ホ）焦点調節用筒（３）だけではカメラの焦点調節が不十分な際に使用する、カメラとマクロレンズ（４）の間に挿入して使用する、直径約２．５ｃｍ、中心部に穴が開いた円形ドーナツ状で、厚さ約１ｍｍの布で作られた焦点微調節用スペーサー（７）が複数枚あり、カメラとマクロレンズ（４）の間に必要な枚数を挿入し、固定具（６）で押さえ、カメラと被写体との距離を伸ばすことで焦点調節を可能としている。本発明は以上のような構造である。
本発明を使用するときは、計測レンズ部（５）をカメラ前に固定具（６）で固定し、スケールのついた焦点調節用筒（３）の先端を頭皮に押し当て、焦点調節用筒（３）の後端に取り付けられたマクロレンズ（４）を通して、カメラで被写体を撮影することで、被写体はスケールとともに拡大して撮影される。
【符号の説明】
【０００９】    １  毛髪径計測線
２  毛髪計測窓
３  焦点調節用筒
４  マクロレンズ
５  計測レンズ部
６  固定具
７  焦点微調節用スペーサー
８  カメラ付き携帯通信機器
【図１】
2018033897.tif 000003
【図２】
2018033897.tif 000004
【図３】
2018033897.tif 000005
【図４】
2018033897.tif 000006
【図５】
2018033897.tif 000007
【図６】
2018033897.tif 000008